【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
並列接続された容量が異なる複数個のコンデンサを両端一対の端子で一体化し、前記端子の引出個所が、複数個の前記コンデンサ中で最も容量の小さいコンデンサの両端に設定されている、複合コンデンサ。
【請求項２】
複数個の前記コンデンサ中の少なくとも一部のコンデンサに直列に接続されて一体化された抵抗を有する請求項１記載の複合コンデンサ。
【手続補正２】
【補正対象書類名】明細書
【補正対象項目名】００１２
【補正方法】変更
【補正の内容】
【００１２】
【課題を解決するための手段】
請求項１記載の発明は、並列接続された容量が異なる複数個のコンデンサを両端一対の端子で一体化した。従って、複数個のコンデンサを用いるものの、インダクタンスが最小となり、各々のコンデンサのリードインダクタンスやパターンの影響を受けることがないため、広帯域に渡って低インピーダンス化を図ることができ、放射ノイズ抑制効果を発揮させることができる。さらには、両端一対の端子で一体化してなるので、複数個のコンデンサを用いるものの１部品として扱え部品点数の増加を招くことがなく、プリント回路板等への実装に際しても支障を来さない。また、前記端子の引出個所が、複数個の前記コンデンサ中で最も容量の小さいコンデンサの両端に設定されている。従って、容量の最も小さいコンデンサの共振周波数の低下を招くことなく、広帯域に渡ってコンデンサを低インピーダンス化できる。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
【発明の実施の形態】
本発明の第一の参考例を図１及び図２に基づいて説明する。図１は、複合コンデンサ１の等価回路を示し、容量の異なる複数個、例えば、２個のコンデンサＣ1 ，Ｃ2 が並列接続され、これらのコンデンサＣ1 ，Ｃ2 が両端一対の端子Ｔ1 ，Ｔ2 で一体化されている。図２は、各コンデンサＣ1 ，Ｃ2 をチップコンデンサで構成した場合の複合コンデンサ１の実際的な構成例を示す外観斜視図である。
【手続補正５】
【補正対象書類名】明細書
【補正対象項目名】００１６
【補正方法】変更
【補正の内容】
【００１６】
本参考例によれば、２個のコンデンサＣ1 ，Ｃ2 を用いるものの、インダクタンスが最小となり、各々のコンデンサＣ1 ，Ｃ2 のリードインダクタンスやパターンの影響を受けることがないため、広帯域に渡って低インピーダンス化を図ることができる。よって、当初の目的通り、２個のコンデンサＣ1 ，Ｃ2 を利用することで放射ノイズ抑制効果を発揮させることができる。さらには、両端一対の端子Ｔ1 ，Ｔ2 で複合コンデンサ１として一体化してなるので、複数個のコンデンサＣ1 ，Ｃ2 を用いるものの１部品として扱え部品点数の増加を招くことがなく、プリント回路板等への実装に際しても支障を来さない。
【手続補正６】
【補正対象書類名】明細書
【補正対象項目名】００１８
【補正方法】変更
【補正の内容】
【００１８】
本発明の第二の参考例を図３ないし図５に基づいて説明する。第一の参考例で示した部分と同一部分は同一符号を用いて示し、説明も省略する（以下の参考例又は実施の形態でも同様とする）。図３は、複合コンデンサ２の等価回路を示し、容量の異なる複数個、例えば、２個のコンデンサＣ1 ，Ｃ2 に対して各々抵抗Ｒ1 ，Ｒ2 が直列に接続され、各々のＣＲ直列回路が並列接続され、かつ、その両端が一対の端子Ｔ1 ，Ｔ2 で一体化されている。図４は、各コンデンサＣ1 ，Ｃ2 をチップコンデンサで構成した場合の複合コンデンサ２の実際的な構成例を示す外観斜視図である。
【手続補正７】
【補正対象書類名】明細書
【補正対象項目名】００２０
【補正方法】変更
【補正の内容】
【００２０】
本参考例によれば、第一の参考例の場合の効果に加えて、必要に応じてコンデンサに直列に抵抗を接続して一体化させているので、反共振点のピークがなく、広帯域に渡ってインピーダンスを低く保つことができ、一層の放射ノイズ抑制効果が得られる。例えば、図３及び図４に準ずる複合コンデンサ構成において、３つのＣＲ直列回路を用いるものとし、各々の容量が０．０１μＦ，４７０ｐＦ，４７ｐＦなる３種類のコンデンサを用い、各々のリードインダクタンスを１０ｎＨとした場合に、各コンデンサに直列に挿入する抵抗Ｒの抵抗値を０．０１Ω，０．１Ω，１Ω，２Ω，４Ω，１０Ω，２０Ωと変化させた場合の複合コンデンサ２のインピーダンスＺの計算値例を図５に示す。この結果によれば、抵抗値を数Ωに選定することにより、反共振周波数でのインピーダンスが不要に大きくなることなく平坦特性を持たせ得ることが分かる。
【手続補正８】
【補正対象書類名】明細書
【補正対象項目名】００２１
【補正方法】変更
【補正の内容】
【００２１】
なお、複合コンデンサ２を構成する上で、図４に示すような構造体とする他、現在であれば、１チップ中にコンデンサと抵抗とを一体化してなるＣ＋Ｒ複合部品も製品化されているので、このようなＣ＋Ｒ複合部品を用いた構造体としてもよい（この場合、結果として図２の場合と同様な構造となる）。
【手続補正９】
【補正対象書類名】明細書
【補正対象項目名】００２２
【補正方法】変更
【補正の内容】
【００２２】
本発明の第三の参考例を図６に基づいて説明する。本参考例は、図１に示したような等価回路をなす複合コンデンサ１に関して、複数個、例えば、２個のコンデンサＣ1 ，Ｃ2 の容量がＣ1 ≪Ｃ2 の場合に、一対の端子Ｔ1 ，Ｔ2 の引出個所を容量の小さい方のコンデンサＣ1 側とした構成例を示す。
【手続補正１０】
【補正対象書類名】明細書
【補正対象項目名】００２３
【補正方法】変更
【補正の内容】
【００２３】
本参考例によれば、容量の最も小さいコンデンサＣ1 の共振周波数の低下を招くことなく、広帯域に渡って複合コンデンサ２を低インピーダンス化できる。例えば、数値例を用いて説明すると、従来例中の文献でも説明されているように、容量の小さい方のコンデンサの容量を４７０ｐＦとし、そのリードインダクタンスを１ｎＨとしたとき、その共振周波数は約２３０ＭＨｚであるが、容量の大きい方のコンデンサのリードインダクタンス値を１０ｎＨとしたときはその共振周波数は約７３ＭＨｚと低下してしまうが、本参考例によれば、共振周波数の低下を招くことはない。
【手続補正１１】
【補正対象書類名】明細書
【補正対象項目名】００２４
【補正方法】変更
【補正の内容】
【００２４】
前述した本発明の第一〜第三の参考例も参照しながら、本発明の実施の一形態を図７に基づいて説明する。図７に、コンデンサＣ1 ，Ｃ2 ，Ｃ3 としてリードタイプのコンデンサを用いた場合の複合コンデンサ３の構成例を示す。ここに、コンデンサＣ1 ，Ｃ2 ，Ｃ3 の容量はＣ1 ≪Ｃ2 ，Ｃ3 なる関係にあるものとする。この場合、複合コンデンサ３としての端子Ｔ1 ，Ｔ2 は容量の最も小さいコンデンサＣ1 の両端に設定されており、他のコンデンサＣ2 ，Ｃ3 はリード線４ａ，４ｂを介してこの端子Ｔ1 ，Ｔ2 側に並列接続されて一体化された構成とされている。本実施の形態の場合も、図６で説明した場合と同様な効果が得られる。
【手続補正１２】
【補正対象書類名】明細書
【補正対象項目名】００２５
【補正方法】変更
【補正の内容】
【００２５】
別の実施の形態として、図６及び図７に示す構造において、各々Ｃ1 ，Ｃ2 ，Ｃ3 で示す部分を第二の参考例の如くコンデンサと抵抗との直列回路或いはそのＣ＋Ｒ複合部品に代えて構成してもよいのはもちろんである。
【手続補正１３】
【補正対象書類名】明細書
【補正対象項目名】００２７
【補正方法】変更
【補正の内容】
【００２７】
【発明の効果】
請求項１記載の発明によれば、並列接続された容量が異なる複数個のコンデンサを両端一対の端子で一体化してなるので、複数個のコンデンサを用いるものの、インダクタンスを最小とすることができ、各々のコンデンサのリードインダクタンスやパターンの影響を受けることがないため、広帯域に渡って低インピーダンス化を図ることができ、放射ノイズ抑制効果を発揮させることができ、同時に、両端一対の端子で一体化してなるので、複合コンデンサなる１部品として扱うことができ、部品点数の増加を招くことがなく、プリント回路板等への実装に際しても支障を来すことがない。また、端子の引出個所が、複数個のコンデンサ中で最も容量の小さいコンデンサの両端に設定されているので、容量の最も小さいコンデンサの共振周波数の低下を招くことなく、広帯域に渡ってコンデンサを低インピーダンス化させることができる。
【手続補正１４】
【補正対象書類名】明細書
【補正対象項目名】００２９
【補正方法】削除
【補正の内容】
【手続補正１５】
【補正対象書類名】明細書
【補正対象項目名】図面の簡単な説明
【補正方法】変更
【補正の内容】
【図面の簡単な説明】
【図１】
本発明の第一の参考例を示す複合コンデンサの等価回路図である。
【図２】
その複合コンデンサの構成例を示す外観斜視図である。
【図３】
本発明の第二の参考例を示す複合コンデンサの等価回路図である。
【図４】
その複合コンデンサの構成例を示す外観斜視図である。
【図５】
抵抗値を変化させた場合のインピーダンスの周波数特性を示す特性図である。
【図６】
本発明の第三の参考例の複合コンデンサの構成例を示す外観斜視図である。
【図７】
本発明の実施の一形態の複合コンデンサの構成例を示す外観斜視図である。
【符号の説明】
Ｃ1 ，Ｃ2 ，Ｃ3       コンデンサ
Ｔ1 ，Ｔ2             端子
Ｒ1 ，Ｒ2             抵抗